(57)【要約】 【課題】吸引方式の水底泥土の浚渫装置において、異物吸引障害を防止すると共に装置からの異物除去機能を備える。【解決手段】  浚渫泥土を含む泥濁水を吸引口から吸引して外部に排出する吸引機構部１と、吸引口１２２への異物侵入を防止するスクリーン部２を備えた水底泥土の浚渫装置において、スクリーン部を互いに噛み合う櫛歯状スクリーン２２で形成すると共に、前記櫛歯状スクリーンを、吸引口に隣接し且つ吸引口を挟んで対向する適宜な平行位置を回動中心（回動軸２１）として回動自在に設けると共に、前記櫛歯状スクリーンを回動操作するスクリーン開閉操作部（操作レバー２３）を付設してなる。【選択図】図１
2019060204.tif 000002
【特許請求の範囲】
【請求項１】
浚渫泥土を含む泥濁水を吸引口から吸引して外部に排出する吸引機構部と、吸引口への異物侵入を防止するスクリーン部を備えた水底泥土の浚渫装置において、スクリーン部を互いに噛み合う櫛歯状スクリーンで形成すると共に、前記櫛歯状スクリーンを、吸引口に隣接し且つ吸引口を挟んで対向する適宜な平行位置を回動中心として回動自在に設けると共に、前記櫛歯状スクリーンを回動操作するスクリーン開閉操作部を付設してなることを特徴とする水底泥土の浚渫装置。
【請求項２】
吸引機構部が、吸引空間を形成する下方開口の囲繞体を備え、前記囲繞体の吸引空間内に吸引口を設け、吸引空間内の開口方向に向かって高圧水を噴射する噴射ノズルを備えた高圧水噴射部を設けてなり、櫛歯状スクリーンを、吸引口下方における囲繞体の開口部を塞ぐ位置に設けてなる請求項１記載の水底泥土の浚渫装置。
【請求項３】
吸引機構部が、吸引空間を形成する下方開口の囲繞体を備え、前記囲繞体の吸引空間内に吸引口を設け、櫛歯状スクリーンを、吸引口下方における囲繞体の開口部を塞ぐ位置に設けると共に、囲繞体の下縁にスカート部を連設すると共に、前記スカート部に吸引空間に撹拌水を導入する吸引ノズルを設けてなる請求項１記載の水底泥土の浚渫装置。
【請求項４】
囲繞体の下縁にスカート部を連設すると共に、前記スカート部に吸引空間に撹拌水を導入する吸引ノズルを設けてなる請求項２記載の水底泥土の浚渫装置。
【発明の詳細な説明】
【技術分野】
【０００１】
本発明は、湖沼底、河底、海底など水底の泥土浚渫を行う浚渫装置に関するものである。
【背景技術】
【０００２】
水底泥土の浚渫は、放射能汚染地域の湖沼底泥土の除染、貯水量調整、堆積泥土による汚染防止などの種々の目的で行われている。また浚渫手法としては種々の方法が知られているが、本発明は水底泥土面上に吸引空間を形成すると共に、当該空間内で泥土舞い上げを行いながら、舞い上げ泥土を吸引する構成の装置が対象である。
【０００３】
前記構成の浚渫装置は従前より知られており、特許文献１，２には、泥土舞い上げ手段として高圧水を吸引空間内で水底泥土面に対して噴射する噴射ノズルを設けた構成が開示されている。
【０００４】
また吸引ポンプを採用している吸引式の浚渫装置においては、吸引口からの異物侵入による装置の故障や吸引力低減による作業能率低下を防止するために、吸引口を多孔構造に形成し（特許文献３）、或いはロストルやスクリーンを設けている（特許文献４）。
【先行技術文献】
【特許文献】
【０００５】
【特許文献１】特開２０００―２５７１０８号公報。
【特許文献２】特開２００７−９２４１０号公報。
【特許文献３】特開２０１４―７７２６４号公報。
【特許文献４】実公平２−２７００４号公報。
【発明の概要】
【発明が解決しようとする課題】
【０００６】
吸引式浚渫装置において、吸引口にスクリーンを設けると異物の侵入を防止することができるが、湖沼底には沈下した倒木その他の埋没物が存在しているので、前記スクリーンに異物である埋没物等が引っ掛かると、吸引口からの吸引効率が低下してしまうので、これを除去する必要がある。
【０００７】
この埋没物等の異物除去には、吸引口や吸引空間を形成する吸引機体を引き上げ、そしてスクリーンに引掛かった異物を除去しなければならなく、異物除去は煩瑣な作業となっているものである。
【０００８】
そこで本発明は、異物除去手段を備えた新規な水底泥土の浚渫装置を提案したものである。
【課題を解決するための手段】
【０００９】
本発明の請求項１記載に係る水底泥土の浚渫装置は、浚渫泥土を含む泥濁水を吸引口から吸引して外部に排出する吸引機構部と、吸引口への異物侵入を防止するスクリーン部を備えた水底泥土の浚渫装置において、スクリーン部を互いに噛み合う櫛歯状スクリーンで形成すると共に、前記櫛歯状スクリーンを、吸引口に隣接し且つ吸引口を挟んで対向する適宜な平行位置を回動中心として回動自在に設けると共に、前記櫛歯状スクリーンを回動操作するスクリーン開閉操作部を付設してなることを特徴とするものである。
【００１０】
而してスクリーン部を備えた吸引機構部（吸引機体）を浚渫対象の水底に沈下させて吸引機構（ポンプ）を作動させ、吸引口から水底泥土を周囲水と共に吸引して外部に排出する通常の浚渫作業を行うもので、特に水底泥土と共に埋没物等の異物を吸引したとしても、異物は櫛歯状スクリーンに引掛かることで、吸引口への侵入が阻止されるものである。またこれらの異物によって吸引効率が低下した際には、浚渫作業位置から吸引機体をずらし、櫛歯状スクリーンを煽り回動させると、当該異物はスクリーン面から排除されるものである。
【００１１】
また本発明の請求項２記載に係る水底泥土の浚渫装置は、特に吸引機構部（吸引機体）が、吸引空間を形成する下方開口の囲繞体を備え、前記囲繞体の吸引空間内に吸引口を設け、吸引空間内の開口方向に向かって高圧水を噴射する噴射ノズルを備えた高圧水噴射部を設けてなり、櫛歯状スクリーンを、吸引口下方における囲繞体の開口部を塞ぐ位置に設けてなるものである。
【００１２】
而して前記装置は、浚渫位置となる水底面に囲繞体で覆い、囲繞体内となる吸引空間に高圧水を噴射する。この吸引空間内への高圧水噴射で水底面の泥土（汚泥等）が巻き上げられて吸引空間内を泥濁水化し、効率的な吸引（浚渫）を行うものである。
【００１３】
また本発明の請求項３記載に係る水底泥土の浚渫装置は、吸引機構部が、吸引空間を形成する下方開口の囲繞体を備え、前記囲繞体の吸引空間内に吸引口を設け、櫛歯状スクリーンを、吸引口下方における囲繞体の開口部を塞ぐ位置に設けると共に、囲繞体の下縁にスカート部を連設すると共に、前記スカート部に吸引空間に撹拌水を導入する吸引ノズルを設けてなるものである。
【００１４】
前記装置は、高圧水の噴射に替えて、囲繞体内の吸引空間が浚渫吸引によって負圧状態になると、吸引ノズルから囲繞体外の周囲水が引きこまれ、この吸引ノズルから周囲水噴射で水底面の泥土（汚泥等）が巻き上げられ、吸引空間内を泥濁水化するものである。
【００１５】
また発明の請求項４記載に係る水底泥土の浚渫装置は、高圧水噴射と吸引による周囲水噴射を併用したものである。
【発明の効果】
【００１６】
本発明の構成は上記のとおりで、浚渫装置の吸引口に互いに噛み合わせた櫛歯状スクリーンを配置し、且つ煽り開閉可能な構造を採用したことによって、吸引口への異物侵入を阻止し、更に阻止した異物を簡単に当該スクリーンから除去し、浚渫作業効率を高めるものである。
【図面の簡単な説明】
【００１７】
【図１】本発明の実施形態（吸引機体）の一部裁断した正面図。
【図２】同底面図。
【図３】同使用状態の説明図（浚渫作用の説明図）。
【図４】同図（機体吊下げ時の斜視図）。
【図５】同図（現場説明図）。
【発明を実施するための形態】
【００１８】
次に本発明の実施形態について説明する。実施形態に示した浚渫装置は、水上から吊下げて浚渫水底Ａを覆うようにして使用する吸引機体に、吸引機構部１、スクリーン部２及び吊下部３を設けたものである。
【００１９】
吸引機構部１は、適宜な吸引空間Ｂを確保する囲繞体１１と、吸引管１２と、高圧水噴射部１３と、スカート部１４と、吸引ノズル１５を備えてなる。
【００２０】
囲繞体１１は、下方開口の四角錐台形状で、頂面１１１から吸引管１２を垂設し、頂面１１１の上に吸引排出ポンプ４を装着するポンプ連結部１２１を設け、傾斜側面１１２に高圧水噴射部１３の噴射ノズル１３１を、噴射方向が囲繞体１１の開口部中心（吸引口１２２の下方）に向くように設けたものである。
【００２１】
また囲繞体１１は傾斜側面１１２の下方に側壁面１１３を設けると共に、当該側壁面１１３の下縁にスカート部１４を連設し、当該スカート部１４に吸引ノズル１５を適宜間隔で且つ適宜数設けたものである。
【００２２】
スクリーン部２は、回動軸（回動中心）２１に櫛歯状スクリーン２２を突設し、前記回動軸２１に操作レバー（スクリーン開閉操作部）２３を連結したもの一対を、囲繞体１１に組み込んだものである。
【００２３】
囲繞体１１への組み込みは、吸引口１２２の高さにある囲繞体１１の側壁面１１３に、吸引口１２２を挟んで平行に対向する回動軸２１を架設し、対向する櫛歯状スクリーン２２は、少なくとも吸引口１２２の範囲において、互いに噛み合うようにしたものである。また各回動軸２１の側壁面１１３の外方に突出する部分に、操作レバー２３を連結したものである。
【００２４】
吊下げ部３は、囲繞体１１の適宜箇所に吊下げワイヤー５を連結可能としたもので、適宜な位置に適宜な部材を設けてなるものである。
【００２５】
次に前記装置の使用について説明する。浚渫作業は、水面Ｂに浮かせたフロート基台６から吸引機体（吸引機構部１及びスクリーン部２）を水底に吊下げて行うもので、吸引機体には予め吸引排出ポンプ４を装着すると共に、排出ホース７を連結して水上の所定位置に浚渫泥濁水を排出するようにしたものである。また高圧水供給ポンプ（図示せず）と接続した高圧水供給ホース１３２を噴射ノズル１３１に接続しておく。
【００２６】
而してフロート基台６にはクレーン支柱６１を立設し、吸引機体の吊下げ部３に吊下げワイヤー５を連結し、クレーン支柱６１から機体を吊下げで、機体を水底Ａまで沈下させて作業を行う。
【００２７】
浚渫範囲は、囲繞体１１及びスカート部１４で囲まれた吸引空間Ｃに対応する水底Ａの泥土Ｄで、順次位置をずらして作業を行うことで所望の範囲の浚渫を行うものである。
【００２８】
浚渫は、当該泥土Ｄに対して噴射ノズル１３１から高圧水ａを噴射して泥土Ｄを舞い上げ、吸引空間Ｃ内で泥濁水化する。そこで吸引排出ポンプ４を駆動させると、泥土Ｄを含んだ泥濁水Ｅは吸引管１２から排出ホース７を通って適宜箇所（例えば図示しているメッシュ水槽８）らに排出することで水底Ａの泥土Ｄが浚渫されることになる。
【００２９】
また同時に吸引排出ポンプ４の吸引作用によって吸引空間Ｃが負圧状態になると、吸引ノズル１５から囲繞体１１の外方の周囲水ｂが引きこまれ、吸引ノズル１５から周囲水ｂが噴射し、泥土Ｄが更に舞い上げられ、泥土Ｄの泥濁水化が促進されるものである。
【００３０】
本発明は特に前記浚渫作業中に吸引口１２２からの異物侵入を阻止するようにしたもので、水底Ａ及び泥土Ｄ内に存在する沈下木材その他の異物が存在すると、これらの異物も泥濁水Ｅと共に吸引されることになる。しかし櫛歯状スクリーン２２によってこれらの異物が吸引口１２２からの侵入することが阻止されることになる。
【００３１】
しかも前記異物が櫛歯状スクリーン２２に引掛かって浚渫作業の効率低下（吸引力低下）を招く場合には、吸引機体を一旦持ち上げて、浚渫作業位置から吸引機体をずらし、水上に露出した操作レバー２３を操作すると、櫛歯状スクリーン２２は下方へ煽り回動するので、当該異物はスクリーン面から簡単に排除されることになり、再度浚渫作業を行うものである。
【符号の説明】
【００３２】
１      吸引機構部
１１    囲繞体
１１１    頂面
１１２    傾斜側面
１１３    側壁面
１２    吸引管
１２１    ポンプ連結部
１２２    吸引口
１３    高圧水噴射部
１３１    噴射ノズル
１３２    高圧水供給ホース
１４    スカート部
１５    吸引ノズル
２      スクリーン部
２１    回動軸
２２    櫛歯状スクリーン
２３    操作レバー（スクリーン開閉操作部）
３      吊下げ部
４      吸引排出ポンプ
５      ワイヤー
６      フロート基台
６１    クレーン支柱
７      排出ホース
８      メッシュ水槽
Ａ      水底
Ｂ      水面
Ｃ      吸引空間
Ｄ      泥土
Ｅ      泥濁水
ａ      高圧水
ｂ      周囲水
【図１】
2019060204.tif 000003
【図２】
2019060204.tif 000004
【図３】
2019060204.tif 000005
【図４】
2019060204.tif 000006
【図５】
2019060204.tif 000007